(57)【要約】【課題】容器に保持具を連結して保持した状態で、前記容器が抜け出て落下することのない取り外し可能な容器保持具を提供する。【解決手段】容器保持具２は容器１の外周面１Ａの外側に設けられ下部開口部５を有する取り付け受け具３に前側を着脱自在に設ける。容器保持具２は、握り部８を有する保持具本体９の前側に、取り付け受け具３の下部に係止する下部係止部10と、該下部係止部10の前側に連接して前記下部開口部５を上向きに挿入する挿入部16と、取り付け受け具３の上部に係止する上部係止部11とを備える。容器保持具２の前側を容器１の取り付け受け具３に取り付けたときに、取り付け受け具３の上部を上部係止部11により係止して上方への抜け出しを抑止し、取り付け受け具３の容器１側を挿入部16により係止して前後方向の抜け出しを抑止し、そして取り付け受け具３の下部を下部係止部10により係止することで、下方への抜け出しを抑止できる。【選択図】図１
0003118512.tif 000002
【実用新案登録請求の範囲】
【請求項１】
容器の周面の外側に設けられ下部開口部を有する取り付け受け具に前側を着脱自在に設ける取り外し可能な容器保持具であって、握り部を有する保持具本体の前側に、前記取り付け受け具の下部に係止する下部係止部と、該下部係止部の前側に連接して前記下部開口部を上向きに挿入する挿入部と、前記取り付け受け具の上部に係止する上部係止部とを備えたことを特徴とする取り外し可能な容器保持具。
【請求項２】
前記取り付け受け具は、前記周面と間隔をおいて配置されて、該取り付け受け具と前記周面との間に前記下部開口部が上下方向に貫通して貫通部が形成され、前記下部係止部は前記取り付け受け具の下部の厚みと同じ間隔を有する前後一対の縦向き部の下端間を横向き部で連結して形成され、前記挿入部の上端側は前記貫通部の上端より上方へ突設可能に設け、前記上部係止部は前記取り付け受け具に対して前後方向に摺動に設けられると共に操作部が設けられて、該上部係止部は前位置において前記挿入部の上端側に係止可能なことを特徴とする請求項１記載の取り外し可能な容器保持具。
【請求項３】
前記上部係止部を前側に押圧する付勢手段を前記保持具本体に設けると共に、前記操作部は前記保持具本体の上面、左右側面或いは下面に設けられることを特徴とする請求項２記載の取り外し可能な容器保持具。
【請求項４】
前記挿入部の上端に前記上部係止部の前部が挿入する係止受け部が設けられたことを特徴とする請求項１〜３のいずれか１項に記載の取り外し可能な容器保持具。
【請求項５】
前記下部係止部、挿入部及び上部係止部は左右方向に幅大な板材により形成されていることを特徴とする項１〜４のいずれか１項に記載の取り外し可能な容器保持具。
【考案の詳細な説明】
【技術分野】
【０００１】
本考案は、鍋やフライパン等の容器を保持するための取り外し可能な容器保持具に関するものである。
【背景技術】
【０００２】
従来、この種のものとして保持体に設けられ容器の縁部を挟持する前後一対のクランプ部材と、前記クランプ部材を両者が開いた開位置又は両者が閉じた閉位置に相対的に移動させる移動手段とを有するものが知られている（例えば、特許文献１）。
【特許文献１】特開平１１−１７８７２２公報
【考案の開示】
【考案が解決しようとする課題】
【０００３】
しかし、従来技術においては、容器の縁部を保持具の２個のクランプ部材により挟持するというものであるが、２個のクランプ部材間の下方は開口状態となっているので、クランプ部材より容器が抜けた場合、該容器は落下するおそれがある。
【０００４】
解決しようとする問題点は、容器に保持具を連結して保持した状態で、前記容器が抜け出て落下することのない取り外し可能な容器保持具を提供する点である。
【課題を解決するための手段】
【０００５】
請求項１の考案は、容器の周面の外側に設けられ下部開口部を有する取り付け受け具に前側を着脱自在に設ける取り外し可能な容器保持具であって、握り部を有する保持具本体の前側に、前記取り付け受け具の下部に係止する下部係止部と、該下部係止部の前側に連接して前記下部開口部を上向きに挿入する挿入部と、前記取り付け受け具の上部に係止する上部係止部とを備えたことを特徴とする取り外し可能な容器保持具である。
【０００６】
請求項２の考案は、前記取り付け受け具は、前記周面と間隔をおいて配置されて、該取り付け受け具と前記周面との間に前記下部開口部が上下方向に貫通して貫通部が形成され、前記下部係止部は前記取り付け受け具の下部の厚みと同じ間隔を有する前後一対の縦向き部の下端間を横向き部で連結して形成され、前記挿入部の上端側は前記貫通部の上端より上方へ突設可能に設け、前記上部係止部は前記取り付け受け具に対して前後方向に摺動に設けられると共に操作部が設けられて、該上部係止部は前位置において前記挿入部の上端側に係止可能なことを特徴とする請求項１記載の取り外し可能な容器保持具である。
【０００７】
請求項３の考案は、前記上部係止部を前側に押圧する付勢手段を前記保持具本体に設けると共に、前記操作部は前記保持具本体の上面、左右側面或いは下面に設けられることを特徴とする請求項２記載の取り外し可能な容器保持具である。
【０００８】
請求項４の考案は、前記挿入部の上端に前記上部係止部の前部が挿入する係止受け部が設けられたことを特徴とする請求項１〜３のいずれか１項に記載の取り外し可能な容器保持具である。
【０００９】
請求項５の考案は、前記下部係止部、挿入部及び上部係止部は左右方向に幅大な板材により形成されていることを特徴とする項１〜４のいずれか１項に記載の取り外し可能な容器保持具である。
【考案の効果】
【００１０】
請求項１の考案によれば、容器保持具の前側を容器の取り付け受け具に取り付けたときに、取り付け受け具の上部を上部係止部により係止し、取り付け受け具の容器側を挿入部により係止し、そして取り付け受け具の下部を下部係止部により係止することで、下方への抜け出し等を抑止することで、容器の落下を確実に阻止することができる。
【００１１】
請求項２の考案によれば、取り付け受け具の下部を下部係止部は挟むようにして、取り付け受け具の下部をぐらつきなく確実に係止でき、上部係止部は前位置において挿入部の上端側に係止されることにより、挿入部の上端に上部係止部の前側が接続することとなり、取り付け受け具が抜け出るようなことはなくなる。
【００１２】
請求項３の考案によれば、付勢手段を保持具本体に設けると共に、操作部は保持具本体の上面、側面或いは下面に設けられることにより、上部係止部による取り付け受け具の係止が誤って解除されることはないと共に、操作部の操作も容易である。
【００１３】
請求項４の考案によれば、上部係止部側の係止力を確実にすることができる。
【００１４】
請求項５の考案によれば、幅大な板材により強度を確保することができる。
【考案を実施するための最良の形態】
【００１５】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１６】
図１〜図６は実施例１を示しており、鍋やフライパン等の容器１の外周面１Ａに容器保持具２の前側を取り付ける取り付け受け具３が固定されている。取り付け受け具３は外周面１Ａに間隔Ｌを有して外側に設けられるものであり、取り付け受け具３の左右両側には外周面１Ａに接続する腕部４がそれぞれ設けられている。そして、前記間隔Ｌによって下部開口部５及び上端である上部開口部６を有して上下に貫通すると共に平面が左右に細長い貫通部７が形成されている。
【００１７】
前記容器保持具２は前後方向に長いほぼ円柱形状或いはほぼ角柱形状をなした握り部８を有する保持具本体９の前側の下部には取り付け受け具３の下部に係止する下部係止部10が設けられると共に、握り部８の前側の上部には取り付け受け具３の上部に係止する上部係止部11を設ける。下部係止部10は左右方向に幅方向Ｗの大きい金属製板材を折り曲げた取り付け部12の前側に形成されたものであって、取り付け部12は保持具本体９側に挿着している。これは保持具本体９の前面９Ａの下部に開口した取り付け受け孔13に、取り付け部12の後側を挿着すると共に、取り付け部12はビス12Ａにより保持具本体９に固定されている。取り付け部12の前側に設けられる下部係止部10を前面９Ａより前方へ突設している。この下部係止部10は取り付け受け具３の下部の厚みとほとんど同じ間隔Ｍを有する前後一対の縦向き部14の下端間を横向き部15で連結して側面をＵ字形又は倒コ字形に形成されており、下部係止部10は取り付け受け具３の下部に嵌合するようになっている。さらに、下部係止部10の前側に連接して前記貫通部７を上向きに挿入する挿入部16が設けられる。この挿入部16は下部係止部10と連設するように左右方向に幅方向Ｗの大きい板材によって形成されている。そしてこの挿入部16の上端16Ａは、下部係止部10が取り付け受け具３の下部に係止した状態で、上端である上部開口部６より上方へ突設するように設けられており、この上部開口部６より上方に位置した挿入部16の上端16Ａ側には、上部係止部11の前部11Ａが係止する係止受け部17が前後方向の貫通孔によって設けられている。
【００１８】
前記保持具本体９の上部に設けられ取り付け受け具３の上部に係止する前記上部係止部11は、前記保持具本体９に対して前後方向に摺動自在に設けられるものであり、この上部係止部11は保持具本体９の上面９Ｂ上を前後に摺動するものであって、上部係止部11の下面には正面が逆Ｔ字型をなした下方への突部18が設けられており、この突部18が保持具本体９の前面９Ａから後側に向けて形成された逆Ｔ字型をなした案内溝19に摺動するようになっている。そして、突部18の後面と案内溝19の後端との間には、該突部18、ひいては上部係止部11を前方に付勢する付勢手段20たるコイルバネが圧縮されて介在している。一方、上部係止部11の上面９Ｂには保持具本体９の上面９Ｂ上にあらわれる操作部21が設けられており、この操作部21を摘んで上部係止部11を付勢手段20たるコイルバネの弾性力に抗して後方に摺動するようになっている。尚、下部係止部10に連設した取り付け部12の前側には案内溝19に突設するストッパー22が設けられており、このストッパー22に突部18が係止することで、上部係止部11が係止受け部17よりわずかに前方へ突出した状態で停止するようになっている。
【００１９】
次に前記構成についてその作用を説明する。容器保持具２を容器１に取り付けるには、まず握り部８を握ると共に、操作部21を摘んで上部係止部11を付勢手段20たるコイルバネの弾性力に抗して後方に摺動して、上部係止部11の前側を係止受け部17より抜き出す。そして上部係止部11の前側が係止受け部17より抜き出た状態で挿入部16を図１の一点鎖線で示すように下部開口部５の下方から挿入する。この挿入によって前後一対の縦向き部14の間に取り付け受け具３が挟まれると共に、取り付け受け具３の下端は横向き部15によって係止されて、取り付け受け具３の前後のぐらつきを抑止できると共に、取り付け受け具３の抜け落ちを抑止できる。次に操作部21を摘んでいた指の力を弱めると付勢手段20によって突部18が案内溝19に案内されて上部係止部11は前方へ移動し、その結果上部係止部11の前側は係止受け部17に挿入することによって、受け部が上方へ抜け出ることを阻止することができる。尚、この際、ストッパー22に突部18が係止することで、上部係止部11が係止受け部17よりわずかに前方へ突出した状態で停止する。
【００２０】
このようにして容器保持具２を容器１の取り付け受け具３に横向きに取り付けた後に、握り部８を握って持ち上げると、握り部８が力点、下部係止部10が支点、凹部に当接する挿入部16が作用点となって容器保持具２によって容器１を持ち上げることができる。
【００２１】
一方、容器保持具２を容器１より取り外すときは、まず握り部８を握った状態で操作部21を摘んで上部係止部11をコイルバネの弾性力に抗して後方に摺動して、取り付け受け具３の上方を開放する。次に容器保持具２を取り付け受け具３に対して下方へ押し出すと前後一対の縦向き部14は取り付け受け具３より抜け出て取り外しを行うことができる。
【００２２】
以上のように、前記実施例では請求項１に対応して、容器１の外周面１Ａの外側に設けられ下部開口部５を有する取り付け受け具３に前側を着脱自在に設ける取り外し可能な容器保持具２であって、握り部８を有する保持具本体９の前側に、前記取り付け受け具３の下部に係止する下部係止部10と、該下部係止部10の前側に連接して前記下部開口部５を上向きに挿入する挿入部16と、前記取り付け受け具３の上部に係止する上部係止部11とを備えたことにより、容器保持具２の前側を容器１の取り付け受け具３に取り付けたときに、取り付け受け具３の上部を上部係止部11により係止して上方への抜け出しを抑止し、取り付け受け具３の容器１側を挿入部16により係止して前後方向の抜け出しを抑止し、そして取り付け受け具３の下部を下部係止部10により係止することで、下方への抜け出しを抑止することで、容器１の落下を確実に阻止することができる。
【００２３】
また、前記実施例では請求項２に対応して、取り付け受け具３は、外周面１Ａと間隔Ｌをおいて配置されて、該取り付け受け具３と外周面１Ａとの間に下部開口部５が上下方向に貫通して貫通部７が形成され、下部係止部10は前記取り付け受け具３の下部の厚みと同じ間隔Ｍを有する前後一対の縦向き部14の下端間を横向き部15で連結して形成され、挿入部16の上端側は貫通部７の上端より上方へ突設可能に設け、上部係止部11は取り付け受け具３に対して前後方向に摺動に設けられると共に操作部21が設けられて、該上部係止部11は前位置において上端側に係止されることにより、取り付け受け具３の下部を下部係止部10は挟むようにして、取り付け受け具３の下部をぐらつきなく確実に係止できる。そして、前記挿入部16の上端は貫通部７の上端より上方へ突設可能に設け、上部係止部11は取り付け受け具３に対して前後方向に摺動に設けられると共に操作部21が設けられて、該上部係止部11は前位置において上端側に係止されることにより、挿入部16の上端に上部係止部11の前側が接続することで、受け部は下部係止部10、挿入部16、さらには上部係止部11に囲まれることとなり、取り付け受け具３が抜け出るようなことはなくなる。
【００２４】
さらに、前記実施例では請求項３に対応して、上部係止部11を前側に押圧する付勢手段20を保持具本体９に設けると共に、操作部21は前記保持具本体９の上面９Ｂに設けられることにより、上部係止部11による取り付け受け具３の係止が誤って解除されることはない。そして、操作部21は保持具本体９の上面９Ｂに設けられることで、握り部８を握った指の操作で簡単に操作を行うことができる。
【００２５】
また、前記実施例では請求項４に対応して挿入部16の上端に上部係止部11の前部11Ａが挿入する係止受け部17が設けられたことで、その上部における係止力を確実にすることができる。
【００２６】
さらに、前記実施例では請求項５に対応して下部係止部10、挿入部16及び上部係止部11は左右方向に幅Ｗ方向の大きい板材により形成されていることにより、容器１に取り付けた状態の容器保持具２を左右に振ったとしてもその強度に十分抗することができると共に、下部係止部10から上部係止部11までの高さを可及的に小さくすることができる。
【産業上の利用可能性】
【００２７】
以上のように本考案にかかる取り外し可能な容器保持具は、片手鍋の他に両手鍋など各種の用途に適用できる。また、前記操作部は前記保持具本体の左右側面或いは下面に設けてもよい。
【図面の簡単な説明】
【００２８】
【図１】本考案の実施例１を示す縦断面図である。
【図２】本考案の実施例１を示す平面図である。
【図３】本考案の実施例１を示す底面図である。
【図４】本考案の実施例１を示す要部の断面図である。
【図５】本考案の実施例１を示す背面図である。
【図６】本考案の実施例１を示す正面図である。
【符号の説明】
【００２９】
１  容器
１Ａ  外周面
５  下部開口部
６  上部開口部（上端）
８  握り部
９  保持具本体
９Ｂ  上面
10  下部係止部
11  上部係止部
11Ａ  前部
14  縦向き部
15  横向き部
16  挿入部
17  係止受け部
20  付勢手段
21  操作部
Ｌ  間隔
Ｍ  間隔
Ｗ  幅方向
【図１】
0003118512.tif 000003
【図２】
0003118512.tif 000004
【図３】
0003118512.tif 000005
【図４】
0003118512.tif 000006
【図５】
0003118512.tif 000007
【図６】
0003118512.tif 000008